(57)【要約】【課題】情報通信用の配線装置においてＰｏＥ給電やメディアコンバータのために必要な電源を容易に確保できる情報用配線装置を提供する。【解決手段】情報用配線装置Ａは、取付枠５０の前面に取り付けられるプレート本体２を備える。プレート本体２の前面左側には取付枠５０に取り付けられた電源コンセント８０の前面を露出させる開口部２１が設けられ、前面右側にはプリント配線板３１が取り付けられている。プリント配線板３１には、ＬＡＮケーブル６０に接続されたモジュラープラグ６１が着脱自在に接続されるモジュラージャック５と、壁に配線されたＬＡＮケーブル７０が接続される端子台３２と、電源入力用のジャックコネクタ３４と、モジュラージャック５と端子台３２の間を電気的に接続する内部導電路３６と、ジャックコネクタ３４を介して供給される電源を内部導電路３６に重畳させるためのインピーダンス補償回路部３７が設けられている。【選択図】図１
2013070464.tif 000002
【特許請求の範囲】
【請求項１】
埋込配線器具を壁に埋込配設するための取付枠の前面に取り付けられるプレート本体を備え、
前記プレート本体には、前記取付枠に取り付けられた前記埋込配線器具の前面を露出させる開口部と、ネットワークに接続される機器からのＬＡＮケーブルに接続されたモジュラープラグが着脱自在に接続されるモジュラージャックと、前記壁に配線されたＬＡＮケーブルが接続されるケーブル接続部と、電源入力端子と、前記モジュラージャックと前記ケーブル接続部の間を電気的に接続する内部導電路と、前記電源入力端子を介して供給される電源を前記内部導電路に重畳させるためのインピーダンス補償回路部とが設けられたことを特徴とする情報用配線装置。
【請求項２】
前記ケーブル接続部に、前記壁の表面に露出配線されたＬＡＮケーブルが接続されることを特徴とする請求項１記載の情報用配線装置。
【請求項３】
埋込配線器具を壁に埋込配設するための取付枠の前面に取り付けられるプレート本体を備え、
前記プレート本体には、前記取付枠に取り付けられた前記埋込配線器具の前面を露出させる開口部と、電源入力端子と、前記電源入力端子に入力された電源が供給されて動作するメディアコンバータとが設けられ、
前記メディアコンバータは、ネットワークに接続される機器からのＬＡＮケーブルに接続されたモジュラープラグが着脱自在に接続されるモジュラージャックと、前記壁に配線されて装置内部に導入された光ファイバーケーブルが接続されるケーブル接続部とを備え、前記ＬＡＮケーブルから入力される電気信号を光信号に変換して前記光ファイバーケーブルに出力し、前記光ファイバーケーブルから入力される光信号を電気信号に変換して前記ＬＡＮケーブルに出力することを特徴とする情報用配線装置。
【請求項４】
前記電源入力端子を介して入力される交流電源を直流に変換して前記インピーダンス補償回路に出力する交流／直流変換部を備えたことを特徴とする請求項１又は２記載の情報用配線装置。
【請求項５】
前記電源入力端子を介して入力される交流電源を直流に変換して前記メディアコンバータに供給する交流／直流変換部を備えたことを特徴とする請求項３記載の情報用配線装置。
【発明の詳細な説明】
【技術分野】
【０００１】
本発明は、情報用配線装置に関するものである。
【背景技術】
【０００２】
従来、例えば特許文献１に開示されるように、Ｅｔｈｅｒｎｅｔ（登録商標）のようなネットワークのＬＡＮケーブルに直流電圧を重畳するＰｏＥ（Power on Ethernet（登録商標））と呼ばれる技術を利用し、ネットワークに接続されるハブやルータに給電するシステムがあった。
【先行技術文献】
【特許文献】
【０００３】
【特許文献１】特開２００６−９４０１３号公報
【発明の概要】
【発明が解決しようとする課題】
【０００４】
上述のシステムでは、出力端末と入力端末の間をＬＡＮケーブルで接続し、出力端末からＬＡＮケーブルに直流電圧を重畳させることにより、ＬＡＮケーブルを介して入力端末への電力供給を行っていた。
【０００５】
ところで、既築の建物（オフィスや一般の住宅など）にＬＡＮを導入し、建物内の複数箇所にＬＡＮコンセントが設置される場合、ハブを介して複数のＬＡＮコンセントに分岐配線することで、配線を削減することが行われる。このように配線削減のためハブを使用するのであるが、ハブに対してＰｏＥ給電が可能な機器が近くに無い場合、離れた場所にある電源コンセントとハブとの間を配線する必要があり、電源確保のために手間がかかるという問題があった。
【０００６】
また、建物内の各部屋に、各部屋で使用される機器からのＬＡＮケーブルが接続されるＬＡＮコンセントが設置されている場合に、ＬＡＮコンセントに電気信号と光信号との相互変換を行うメディアコンバータを設け、ＬＡＮコンセント間を光ファイバーケーブルで接続して、コンセント間の通信を光通信とすることも検討されているが、この場合でもメディアコンバータの電源を確保するために、メディアコンバータと電源コンセントとの間を配線する必要があった。
【０００７】
本発明は上記課題に鑑みて為されたものであり、その目的とするところは、情報通信用の配線装置においてＰｏＥ給電やメディアコンバータのために必要な電源を容易に確保できる情報用配線装置を提供することにある。
【課題を解決するための手段】
【０００８】
本願の情報用配線装置は、埋込配線器具を壁に埋込配設するための取付枠の前面に取り付けられるプレート本体を備える。プレート本体には開口部とモジュラージャックとケーブル接続部と電源入力端子と内部導電路とインピーダンス補償回路部とが設けられている。開口部は、取付枠に取り付けられた埋込配線器具の前面を露出させる。モジュラージャックには、ネットワークに接続される機器からのＬＡＮケーブルに接続されたモジュラープラグが着脱自在に接続される。ケーブル接続部には、壁に配線されたＬＡＮケーブルが接続される。内部導電路は、モジュラージャックとケーブル接続部との間を電気的に接続する。インピーダンス補償回路部は、電源入力端子を介して供給される電源を内部導電路に重畳させる。
【０００９】
この情報用配線装置において、ケーブル接続部に、壁の表面に露出配線されたＬＡＮケーブルが接続されることも好ましい。
【００１０】
また本願の情報用配線装置は、埋込配線器具を壁に埋込配設するための取付枠の前面に取り付けられるプレート本体を備える。プレート本体には、取付枠に取り付けられた埋込配線器具の前面を露出させる開口部と、電源入力端子と、電源入力端子に入力された電源が供給されて動作するメディアコンバータとが設けられる。メディアコンバータは、ネットワークに接続される機器からのＬＡＮケーブルに接続されたモジュラープラグが着脱自在に接続されるモジュラージャックと、壁に配線されて装置内部に導入された光ファイバーケーブルが接続されるケーブル接続部とを備える。そして、メディアコンバータは、ＬＡＮケーブルから入力される電気信号を光信号に変換して光ファイバーケーブルに出力し、光ファイバーケーブルから入力される光信号を電気信号に変換してＬＡＮケーブルに出力する。
【００１１】
この情報用配線装置において、電源入力端子を介して入力される交流電源を直流に変換してインピーダンス補償回路に出力する交流／直流変換部を備えることも好ましい。
【００１２】
この情報用配線装置において、電源入力端子を介して入力される交流電源を直流に変換してメディアコンバータに供給する交流／直流変換部を備えることも好ましい。
【発明の効果】
【００１３】
本発明によれば、情報通信用の配線装置においてＰｏＥ給電やメディアコンバータのために必要な電源を容易に確保できる。
【図面の簡単な説明】
【００１４】
【図１】（ａ）〜（ｄ）は実施形態１の情報用配線装置の施工手順を模式的に示した説明図である。
【図２】（ａ）は同上の正面図、（ｂ）は右側面図、（ｃ）は下面図である。
【図３】同上の分解斜視図である。
【図４】同上のプレートブロックの分解斜視図である。
【図５】同上の基板ブロックの分解斜視図である。
【図６】同上のプリント配線板の模式的な平面図である。
【図７】同上のブロック回路図である。
【図８】同上の使用状態図を模式的に示した図である。
【図９】（ａ）〜（ｄ）は実施形態２の情報用配線装置の施工手順を模式的に示した説明図である。
【図１０】同上の使用状態図を模式的に示した図である。
【発明を実施するための形態】
【００１５】
以下に、本発明に係る情報用配線装置の実施形態を図面に基づいて説明する。
【００１６】
（実施形態１）
実施形態１の情報用配線装置について図１〜図８を参照して説明する。尚、以下の説明では特に断りがないかぎり、図２（ａ）に示す向きにおいて上下左右の方向を規定し（壁に取り付けられた状態での上下左右と同じ）、図２（ｂ）の左側を前側、右側を後側として説明を行う。
【００１７】
情報用配線装置Ａは、図２〜図４に示すように、埋込配線器具用の取付枠５０の前面に取り付けられるプレートブロック１と、プレートブロック１の前面側に取り付けられる化粧カバー４とを主要な構成として備えている。また、図７は情報用配線装置Ａの概略的なブロック回路図であり、情報用配線装置Ａはモジュラージャック５と、ケーブル接続部たる端子台３２と、電源入力端子たるジャックコネクタ３４と、内部導電路３６と、インピーダンス補償回路部３７とを備えている。モジュラージャック５には、ネットワークに接続される機器（例えばルータ１００）からのＬＡＮケーブル６０に接続されたＲＪ４５型のモジュラープラグ６１が着脱自在に接続される。端子台３２には、壁に配線されたＬＡＮケーブル７０が接続される。ジャックコネクタ３４には、例えばＡＣ−ＤＣアダプタ６２の出力線６３に接続されたプラグコネクタ６４が着脱自在に接続される。内部導電路３６は、モジュラージャック５が備える後述のコンタクト３３ａと、端子台３２に設けられた対応する圧接端子３２ｅの間を電気的に接続する。インピーダンス補償回路部３７は、ジャックコネクタ３４を介して供給される電源を内部導電路３６に重畳させるために設けられ、電源を接続することによって内部導電路３６を含む伝送ラインのインピーダンスに影響を与えないようにインピーダンスの調整を行う。例えばインピーダンス補償回路部３７は、伝送ラインと電源との間に直列に接続されるコイルを備え、直流的にはインピーダンスをゼロとして伝送ラインに電源を重畳し、伝送ｓれる信号の周波数帯域においては伝送ラインから電源側を見たインピーダンスを高インピーダンスとして信号伝送に影響を与えないように、インピーダンスを調整する。
【００１８】
ここで、情報用配線装置Ａについて説明する前に、情報用配線装置Ａが取り付けられる取付枠５０について説明を行う。取付枠５０は、ＪＩＳ  Ｃ  ８３７５で規格化された大角形連用配線器具（埋込配線器具）の取付枠であり、単位寸法（１個モジュール寸法と言う。）の埋込配線器具を上下方向に３個まで並べて取付可能な１連タイプのものである。図４に示す取付枠５０は合成樹脂製であって、左右の側辺５２ａ，５２ｂと、両側辺５２ａ，５２ｂの上端間を連結する上側辺５５ａと、両側辺５２ａ，５２ｂの下端間を連結する下側辺５５ｂとで矩形枠状に形成されている。左右の両側辺５２ａ，５２ｂには、埋込配線器具（図示せず）の左右両側縁に２個ずつ突設された突起（図示せず）と係合する２個で１組の係合孔５３が３組ずつ設けられ、一方の側辺５２ａには他方の側辺５２ｂとの間の距離を変えるように撓むことのできる撓み片５４が形成されている。この取付枠５０に埋込配線器具を取り付ける際は、先ず取付枠５０の後方から左側の側辺５２ｂの係合孔５３に埋込配線器具の左側にある突起を挿入する。この状態で、埋込配線器具の右側を前方へ押すと、埋込配線器具の右側にある突起が右側の側辺５２ａの係合孔５３に係合し、埋込配線器具が取付枠５０に取り付けられる。一方、取付枠５０から埋込配線器具を取り外す際には、撓み片５４と側辺５２ａとの間にマイナスドライバーのような工具を挿入し、この工具をこじて撓み片５４を撓ませると、埋込配線器具の突起と係合孔５３とが係合した状態が解除されるので、埋込配線器具を取付枠５０から容易に取り外すことができる。尚、上側辺５５ａ及び下側辺５５ｂには、壁２０１に埋設されたスイッチボックス（図示せず）に取付枠５０を固定するための固定ネジを通す長孔５６が設けられている。また、上側辺５５ａ及び下側辺５５ｂには、プレート本体２をネジ止めするためのプレート固定ネジ２９がねじ込まれるネジ孔５７が設けられている。
【００１９】
次に、情報用配線装置Ａの各部の構成を説明する。
【００２０】
プレートブロック１は図５に示すようにプレート本体２と基板ブロック３とで構成される。
【００２１】
基板ブロック３は、縦長の矩形板状のプリント配線板３１を備えている。プリント配線板３１の前面上部にはＬＡＮケーブルが接続される端子台３２（ケーブル接続部）が設けられ、前面下部には後述のモジュラージャック５を構成するコンタクト部３３とジャックコネクタ３４がそれぞれ設けられている。
【００２２】
端子台３２は、４対８芯のＬＡＮケーブルが挿入される溝３２ａを左右方向の中央に備え、溝３２ａの左右両側に前方へ突出する突台部３２ｂがそれぞれ設けられている。各突台部３２ｂには、前側及び左右両側に開放された収納溝３２ｃが４個ずつ設けられ、各々の収納溝３２ｃにはＩＤＣ端子と呼ばれる圧接端子３２ｅ（図７に示す回路図参照）が配置されている。而して、施工者が、ＬＡＮケーブル７０の８本の芯線７０ａを対応する収納溝３２ｃに配置した状態で、端子台３２の前側にキャップ３２ｄを被せ、キャップ３２ｄを端子台３２側に押し込むと、キャップ３２ｄによって各々の芯線７０ａが対応する圧接端子３２ｅに圧接接続される。キャップ３２ｄが規定の位置まで押し込まれると、左右の突台部３２ｂに設けられた突起がキャップ３２ｄの孔と凹凸結合することによって、キャップ３２ｄが端子台３２に保持されており、圧接端子３２ｅに接続された芯線７０ａが抜けにくくなっている。
【００２３】
コンタクト部３３は、バネ性を有する導電材料から形成された８極のコンタクト３３ａと、合成樹脂製の支持枠３３ｂとを備えている。各コンタクト３３ａの一端側はプリント配線板３１に半田付けされ、プリント配線板３１の導電パターンからなる内部導電路３６を介して端子台３２の対応する圧接端子３２ｅに電気的に接続されている。８極のコンタクト３３ａは左右方向に並べて設けられ、各コンタクト３３ａの他端側は下側に突出している。支持枠３３ｂは略Ｕ形に形成されており、プリント配線板３１の前面下部に固定されている。支持枠３３ｂの下側片には、左右方向に一定の間隔をおいて８個のスリットが設けられており、各々のスリットに対応するコンタクト３３ａの先端側が挿入された状態で８本のコンタクト３３ａが保持されている。尚、プリント配線板３１には位相補償、漏話補償のための回路が設けられている。
【００２４】
ジャックコネクタ３４は、接続口を下側に向けてプリント配線板３１に実装されており、ＡＣ−ＤＣアダプタ６２からの出力線６３に設けられたプラグコネクタ６４が着脱自在に接続される。
【００２５】
次にプレート本体２について説明する。プレート本体２は合成樹脂成形品からなり、前側から見た外形形状が横方向を長手方向とする略矩形状に形成されている。プレート本体２の左側部の後面には取付枠５０が取り付けられ、プレート本体２の右側部の前面には基板ブロック３が取り付けられる。プレート本体２の左側部には、取付枠５０に取り付けられた埋込配線器具（図示せず）の前面を露出させる開口部２１が、プレート本体２を前後方向に貫通するように設けられている。プレート本体２の上下両側部には、取付枠５０の上側辺５５ａ及び下側辺５５ｂに設けられたネジ孔５７にねじ込まれる固定ネジ（図示せず）を挿通させるための挿通孔２２ｃがそれぞれ設けられている。
【００２６】
プレート本体２の前面右側には矩形状に窪んだ凹部２２が設けられ、この凹部２２にプリント配線板３１が取り付けられる。凹部２２の底部には、プリント配線板３１に設けられた丸孔３５内に挿入されることによって位置決めを行う円柱状の突起２２ａと、プリント配線板３１の側縁と係止する係止爪２２ｂとが設けられている。
【００２７】
プレート本体２の前面の下部右側には、基板ブロック３のコンタクト部３３に対応する位置に、モジュラープラグ６１が下側から差込接続されるプラグ接続台２３が設けられている。プラグ接続台２３は上面の略全体が開口した箱型であって、下面にはモジュラープラグ６１が差込接続される接続口２３ａが開口している。ここにおいて、プリント配線板３１に設けられたコンタクト部３３と、プラグ接続台２３とで、モジュラージャック５が構成されている。尚、プレート本体２には、プラグ接続台２３の下面を覆う扉２４が開閉自在に設けられている。
【００２８】
また、プレート本体２の前面の上部右側には、端子台３２に接続されるＬＡＮケーブル７０の外被を両側から保持する一対の挟持片２５が設けられ、挟持片２５の上側にはＬＡＮケーブル７０の外被を通すための溝２６が設けられている。さらに、プレート本体２の前面には、挟持片２５と溝２６との間の部位に前方に突出する当接片２７が設けられており、この当接片２７がＬＡＮケーブル７０の外被に側方から当接することによって、張力止めが行われようになっている。
【００２９】
次に化粧カバー４について説明する。化粧カバー４は合成樹脂成形品からなり、前面側から見た形状が略矩形状の主部４１と、主部４１の略全周から後方に延びる側部４２とを一体に備えている。主部４１には、プレート本体２の開口部２１と略同じ位置に、取付枠５０に取り付けられた埋込配線器具の前面を露出させる矩形の窓孔４３が設けられている。また、主部４１の右側部には、プレート本体２に取り付けられたプリント配線板３１に対応する部位に、前側に突出した突台部４４が設けられ、プリント配線板３１に実装された部品と干渉しないようになっている。突台部４４の下面には、プラグ接続台２３の下面の略全体を露出させる溝４４ａと、ジャックコネクタ３４を露出させる丸孔４４ｂとが設けられている。また突台部４４の上面には、プレート本体２に設けられた溝２６の上側に、ＬＡＮケーブル７０を導入するためのケーブル導入口４４ｃが設けられている。また化粧カバー４の裏面には、プレート本体２に複数設けられた係止穴２２ｄと係止離脱自在に係止する係止爪（図示せず）が設けられており、係止爪を対応する係止穴２２ｄに係止させることによって、化粧カバー４がプレート本体２に取り付けられる。
【００３０】
本実施形態の情報用配線装置Ａは上記のような構成を有しており、この情報用配線装置Ａの施工手順を図１に基づいて説明する。図１（ａ）に示すように、２個口の電源コンセント８０が取り付けられて、前面に化粧カバー８１が取り付けられた取付枠５０に対して、情報用配線装置Ａを取り付ける場合を例に説明を行う。先ず作業者は、化粧カバー８１を取り外し、図１（ｂ）に示すように取付枠５０を露出させる。取付枠５０は、建物の壁２０１（図１（ｂ）（ｃ）の斜線部分）に設けられた埋込用孔２０２に取り付けられており、取付枠５０に取り付けられた電源コンセント８０は後部を埋込用孔２０２に納めた状態で、壁２０１に固定されている。この取付枠５０の前面側にプリント配線板３１が取り付けられたプレート本体２を重ねた状態で、施工者が、挿通孔２２ｃに通した固定ネジ２９をネジ孔５７にねじ込むと、プレート本体２が取付枠５０に取り付けられる（図１（ｃ）参照）。その後、施工者が、壁２０１に配線されたＬＡＮケーブル７０を端子台３２に結線し、プレート本体２の前面側に化粧カバー４を取り付けると、情報用配線装置Ａの組立が完了する（図１（ｄ）参照）。この時、ＬＡＮケーブル７０は、化粧カバー４の上面に設けられたケーブル導入口４４ｃを通して、化粧カバー４内に導入されることになる。この施工状態において、ユーザが電源コンセント８０にＡＣ−ＤＣアダプタ６２を接続し、ＡＣ−ＤＣアダプタ６２のプラグコネクタ６４を基板ブロック３のジャックコネクタ３４に接続すると、内部導電路３６及びＬＡＮケーブル６０，７０からなる伝送ラインに直流電圧が重畳される。
【００３１】
図７は情報用配線装置Ａのブロック回路図、図８は情報用配線装置Ａの使用状態の説明図である。図８は光通信を導入したユーザの施工例であり、建物内には光通信ネットワークに接続される光回線終端装置（ＯＮＵ）１１１が設置されている。そして、この光回線終端装置１１１に接続されたルータ１００からのＬＡＮケーブル６０に接続されたモジュラープラグ６１が情報用配線装置Ａのモジュラージャック５に接続されている。情報用配線装置Ａの端子台３２に接続されたＬＡＮケーブル７０は、例えば壁２０１の上方位置に設置されたハブ１１０に接続されている。ハブ１１０は複数のポート１１０ａ〜１１０ｄを備えている。ＰｏＥ受電機能を有するポート１１０ａにはＬＡＮケーブル７０が接続され、他のポート１１０ｂ，１１０ｃ，１１０ｄにはそれぞれ別々の部屋に配線されるＬＡＮケーブル７１，７２，７３が接続されている。ＬＡＮケーブル７１，７２，７３には、それぞれ、建物内の別の部屋に設置されたＬＡＮコンセント１２０が接続されている。尚、ルータ１００及びＬＡＮコンセント１２０には、ＬＡＮに接続される機器（例えばノート型のパソコン１０２，１０３，１０４）が接続されている。この施工例ではハブ１１０が分配器のように使用されており、情報用配線装置Ａから各所に設けられたＬＡＮコンセント１２０に直接配線する場合に比べてＬＡＮケーブルの本数や配線長を短くできる。
【００３２】
ここで、ハブ１１０に電源を供給する必要があるが、情報用配線装置Ａでは、ＡＣ−ＤＣ−ＤＣアダプタ６２のプラグコネクタ６４をジャックコネクタ３４に接続することによって、ＡＣ−ＤＣアダプタ６２から伝送ラインに電力が重畳されている。したがって、ハブ１１０がＰｏＥ受電機能を備えていれば、情報用配線装置ＡからＬＡＮケーブル７０を介してハブ１１０に電源を供給することができる。図８の施工例ではハブ１１０がＰｏＥ受電機能を有し、ＬＡＮケーブル７０の所定の芯線７０ａに重畳された直流電圧（例えばＤＣ２４Ｖ）をＤＣ−ＤＣコンバータ１１０ｅによって内部の動作電圧（例えばＤＣ３．３Ｖ）に変換し、ポート間の通信を制御する制御回路（図示せず）に供給している。このように、情報用配線装置Ａは、ジャックコネクタ３４に入力された電源を伝送ラインに重畳しているので、伝送ラインに接続されたハブ１１０に電源を供給するために、電源線を配線する必要がなくなり、ＬＡＮケーブル７０のみを配線すればよいから、配線施工の手間を省くことができる。尚、ルータ１００がＰｏＥ受電機能を備えていれば、ＬＡＮケーブル６０を介してルータ１００にも電源を供給することができる。
【００３３】
以上説明したように、本実施形態の情報用配線装置Ａは、埋込配線器具を壁に埋込配設するための取付枠５０の前面に取り付けられるプレート本体２を備える。プレート本体２には開口部２１とモジュラージャック５とケーブル接続部（端子台３２）と電源入力端子（ジャックコネクタ３４）と内部導電路３６とインピーダンス補償回路部３７とが設けられている。開口部２１は、取付枠５０に取り付けられた埋込配線器具（例えば電源コンセント８０）の前面を露出させる。モジュラージャック５には、ネットワークに接続される機器からのＬＡＮケーブル６０に接続されたモジュラープラグ６１が着脱自在に接続される。ケーブル接続部には、壁に配線されたＬＡＮケーブル７０が接続される。内部導電路３６は、モジュラージャック５とケーブル接続部との間を電気的に接続する。インピーダンス補償回路部３７は、電源入力端子を介して供給される電源を内部導電路３６に重畳させる。
【００３４】
これにより、モジュラージャック５又はケーブル接続部にＬＡＮケーブルを介して接続される機器がＰｏＥ受電機能を有していれば、これらの機器にＬＡＮケーブルを介して給電することができる。したがって、これらの機器に電源を供給するための電線を別途配線する必要が無く、配線施工の手間を省くことができる。
【００３５】
また、この情報用配線装置において、ケーブル接続部（端子台３２）に、壁の表面に露出配線されたＬＡＮケーブル７０が接続されることも好ましい。
【００３６】
これにより、既築の建物にＬＡＮを導入する場合は、ＬＡＮケーブルが壁の表面に露出配線されることになるが、ケーブル接続部には露出配線されたＬＡＮケーブル７０が接続されるので、既築の建物への配線にも対応が可能である。
【００３７】
尚、本実施形態では、電源コンセント８０に接続されたＡＣ−ＤＣアダプタ６２によって交流を直流に変換して、情報用配線装置Ａに供給しているが、情報用配線装置Ａに、交流電源に接続される電源入力端子と、電源入力端子を介して入力される交流電源を直流に変換してインピーダンス補償回路部３７に出力する交流／直流変換部を備えてもよい。
【００３８】
これにより、情報用配線装置Ａの外部にＡＣ−ＤＣアダプタ６２を用意する必要がなく、電源コンセント８０から情報用配線装置Ａに交流電源を直接供給すればよい。
【００３９】
（実施形態２）
実施形態２の情報用配線装置について図９及び図１０を参照して説明する。
【００４０】
実施形態１で説明した情報用配線装置Ａは、モジュラージャック５と端子台３２を備え、モジュラージャック５と端子台３２の間を電気的に接続する内部導電路３６に、ジャックコネクタ３４に入力された直流電圧を重畳させている。それに対して、本実施形態の情報用配線装置Ａは、光ファイバーケーブルにより伝送される光信号とＬＡＮケーブルにより伝送される電気信号とを相互に変換する光トランシーバ３９（メディアコンバータ）を備えている。そして、ジャックコネクタ３４に入力された直流電圧を光トランシーバ３９に供給して、光トランシーバ３９を動作させている。尚、実施形態１と共通する構成要素には同一の符号を付して、その説明は省略する。
【００４１】
情報用配線装置Ａは、図９に示すように、埋込配線器具用の取付枠５０の前面に取り付けられるプレートブロック１と、プレートブロック１の前面側に取り付けられる化粧カバー４とを主要な構成として備えている。
【００４２】
プレートブロック１は、図９（ｂ）に示すようにプレート本体２と基板ブロック３とで構成される。
【００４３】
基板ブロック３は、縦長の矩形板状のプリント配線板３１を備え、プリント配線板３１の前面の下部左側にはジャックコネクタ３４が実装され、前面の下部右側には光トランシーバ３９が実装されている。
【００４４】
光トランシーバ３９の上部には、２芯（送信用及び受信用）の光ファイバーケーブル７６に接続された接続プラグ７７が接続される光コネクタ部３９ａが設けられている。また光トランシーバ３９の下部には、ネットワークに接続される機器からのＬＡＮケーブル６０に設けられたＲＪ４５型のモジュラープラグ６１が着脱自在に接続されるモジュラージャック３９ｂが設けられている。この光トランシーバ３９には、ジャックコネクタ３４に入力された電源が、プリント配線板３１に形成された導電パターンを介して供給されている。そして、光トランシーバ３９は、光ファイバーケーブル７６から入力される光信号を電気信号に変換してＬＡＮケーブル６０に出力し、ＬＡＮケーブル６０から入力される電気信号を光信号に変換して光ファイバーケーブル７に出力する。
【００４５】
プレート本体２は合成樹脂成形品からなり、前側から見た外形形状が横方向を長手方向とする略矩形状に形成されている。プレート本体２の左側部の後面には取付枠５０が取り付けられ、プレート本体２の右側部の前面には基板ブロック３が取り付けられる。プレート本体２の左側部には、取付枠５０に取り付けられた埋込配線器具（例えば電源コンセント８０）の前面を露出させる開口部２１が、プレート本体２を前後方向に貫通するように設けられている。プレート本体２の上下両側部には、取付枠５０のネジ孔５７にねじ込まれる固定ネジ２９を挿通させる挿通孔２２ｃがそれぞれ設けられている。
【００４６】
プレート本体２の前面右側には、光トランシーバ３９やジャックコネクタ３４などが実装されたプリント配線板３１が取り付けられる。プリント配線板３１がプレート本体２に取り付けられた状態では、光トランシーバ３９のモジュラージャック３９ｂ及びジャックコネクタ３４は、接続口を下向きにしてプレート本体２の下側縁に沿って配置されている。
【００４７】
次に化粧カバー４について説明する。化粧カバー４は合成樹脂成形品からなり、前面側から見た形状が略矩形状の主部４１と、主部４１の略全周から後方に延びる側部とを一体に備えている。主部４１には、プレート本体２の開口部２１と略同じ位置に、取付枠５０に取り付けられた埋込配線器具の前面を露出させる矩形の窓孔４３が設けられている。また、主部４１の右側部には、プレート本体２に取り付けられたプリント配線板３１に対応する部位に、前側に突出した突台部４４が設けられ、プリント配線板３１に実装された部品と干渉しないようになっている。突台部４４の下面には、モジュラージャック３９ｂ及びジャックコネクタ３４を露出させる開口が設けられている。突台部４４の上面には、光ファイバーケーブル７６をカバー内部に導入するための導入口４４ｄが設けられている。また、突台部４４の内側には、光ファイバーケーブル７６の余長分が巻かれた状態で収納されるスペースが設けられている。
【００４８】
本実施形態の情報用配線装置Ａは上記のような構成を有しており、この情報用配線装置Ａの施工手順を図９に基づいて説明する。図９（ａ）に示すように、２個口の電源コンセント８０が取り付けられて、前面に化粧カバー８１が取り付けられた取付枠５０に対して、情報用配線装置Ａを取り付ける場合を例に説明を行う。先ず作業者は、化粧カバー８１を取り外し、図９（ｂ）に示すように取付枠５０を露出させる。取付枠５０は、建物の壁２０１に設けられた埋込用孔２０２に取り付けられており、取付枠５０に取り付けられた電源コンセント８０は後部を埋込用孔２０２に納めた状態で、壁２０１に固定されている。この取付枠５０の前面側にプリント配線板３１が取り付けられたプレート本体２を重ねた状態で、施工者が、挿通孔２２ｃに通した固定ネジ２９をネジ孔５７にねじ込むと、プレート本体２が取付枠５０に取り付けられる（図９（ｃ）参照）。その後、施工者が、壁に配線された光ファイバーケーブル７６の接続プラグ７７を光トランシーバ３９の光コネクタ部３９ａに接続し、プレート本体２の前面側に化粧カバー４を取り付けると、情報用配線装置Ａの組立が完了する（図９（ｄ）参照）。この時、光ファイバーケーブル７０は、化粧カバー４の上面に設けられたケーブル導入口４４ｄを通して、化粧カバー４内に導入される。なお光ファイバーケーブル７０の取り付けには、端末処理時にある程度の長さが必要であり、そのため、ある程度の余長が生じるが、その余長分は化粧カバー４の内部に収納されることになる。また、プリント配線板３１に実装された光トランシーバ３９のモジュラージャック３９ｂ及びジャックコネクタ３４は、化粧カバー４の下部に設けられた開口（図示せず）を通して外部に露出する。
【００４９】
この施工状態において、ユーザが電源コンセント８０にＡＣ−ＤＣアダプタ６２を接続し、ＡＣ−ＤＣアダプタ６２のプラグコネクタ６４を基板ブロック３のジャックコネクタ３４に接続すると、ジャックコネクタ３４に入力された電源が光トランシーバ３９に供給される。そして、光トランシーバ３９は、光ファイバーケーブル７６を介して伝送される光信号と、ＬＡＮケーブル６０を介して伝送される電気信号との変換（光信号→電気信号、電気信号→光信号）を相互に行う。
【００５０】
尚、図９に示す情報用配線装置Ａには光トランシーバ３９が１個しか設けられていないが、図１０に示すように光トランシーバ３９が複数（図示例では３個）設けられていてもよく、複数の光トランシーバ３９にはジャックコネクタ３４に入力された電源がそれぞれ供給される。図１０は光通信を導入したユーザの施工例であり、建物内には光通信ネットワークに接続される光回線終端装置（ＯＮＵ）１１１が設置されている。そして、この光回線終端装置１１１に接続されたルータ１００の複数（例えば３個）のポートにＬＡＮケーブル６０を介して情報用配線装置Ａの光トランシーバ３９がそれぞれ接続されている。各々の光トランシーバ３９には光ファイバーケーブル７６が接続されている。各光ファイバーケーブル７６は建物内の各部屋に配線され、各部屋に設置された別の情報用配線装置Ａの光トランシーバ３９に接続されており、光トランシーバ３９のモジュラージャック３９ｂに接続されたＬＡＮ機器（例えばコンピュータやハブなどの通信機器）とルータ１００との間で通信を行うことができる。
【００５１】
以上説明したように、本実施形態の情報用配線装置Ａは、埋込配線器具（例えば電源コンセント８０）を壁２０１に埋込配設するための取付枠５０の前面に取り付けられるプレート本体２を備える。プレート本体２には、取付枠５０に取り付けられた埋込配線器具の前面を露出させる開口部２１と、電源入力端子（ジャックコネクタ３４）と、電源入力端子に入力された電源が供給されるメディアコンバータ（光トランシーバ３９）とが設けられる。メディアコンバータは、ネットワークに接続される機器からのＬＡＮケーブル６０に接続されたモジュラープラグ６１が着脱自在に接続されるモジュラージャック３９ｂと、壁２０１に配線されて装置内部に導入された光ファイバーケーブル７６が接続されるケーブル接続部（光コネクタ部３９ａ）とを備える。そして、メディアコンバータは、ＬＡＮケーブル６０から入力される電気信号を光信号に変換して光ファイバーケーブル７６に出力し、光ファイバーケーブル７６から入力される光信号を電気信号に変換してＬＡＮケーブル６０に出力する。
【００５２】
これにより、電源コンセントが取り付けられた取付枠５０にプレート本体２を取り付けることで、プレート本体２に設けられたメディアコンバータに対して電源コンセント８０から電源を供給することができる。したがって、メディアコンバータに電源を供給するための電線を配線する手間が省け、配線施工の手間を省くことができる。
【００５３】
尚、本実施形態では、電源コンセント８０に接続されたＡＣ−ＤＣアダプタ６２によって交流を直流に変換して、情報用配線装置Ａに供給しているが、情報用配線装置Ａに、交流電源に接続される電源入力端子と、電源入力端子を介して入力される交流電源を直流に変換してメディアコンバータに出力する交流／直流変換部を備えてもよい。
【００５４】
これにより、情報用配線装置Ａの外部にＡＣ−ＤＣアダプタ６２を用意する必要がなく、電源コンセント８０から情報用配線装置Ａに交流電源を直接供給すればよい。
【符号の説明】
【００５５】
Ａ  情報用配線装置
２  プレート本体
５  モジュラージャック
２１  開口部
３１  プリント配線板
３２  端子台（ケーブル接続部）
３４  ジャックコネクタ（電源入力端子）
３６  内部導電路
３７  インピーダンス補償回路部
５０  取付枠
６０  ＬＡＮケーブル
６１  モジュラープラグ
７０  ＬＡＮケーブル
８０  電源コンセント（埋込配線器具）
２０１  壁
【図１】
2013070464.tif 000003
【図２】
2013070464.tif 000004
【図３】
2013070464.tif 000005
【図４】
2013070464.tif 000006
【図５】
2013070464.tif 000007
【図６】
2013070464.tif 000008
【図７】
2013070464.tif 000009
【図８】
2013070464.tif 000010
【図９】
2013070464.tif 000011
【図１０】
2013070464.tif 000012